(57)【要約】【課題】紙媒体を目視することで、紙媒体に関する情報を認識できるようにする紙媒体及び読取装置を提供する。【解決手段】紙媒体７０１の左端部には、チェックボックス４１１，４１２，４２０〜４３９が配置されている。チェックボックス４１１，４１２，４２０〜４３９は、紙媒体７０に関する所定の情報である紙媒体情報に対応して所定の位置に設けられている。チェックボックス４１１，４１２，４２０〜４３９が表わす紙媒体情報は、ページ番号である。チェックボックス４１１，４１２は、ページ番号の百の位に対応している。チェックボックス４２０〜４２９は、ページ番号の十の位に対応している。チェックボックス４３０〜４３９は、ページ番号の一の位に対応している。【選択図】図３
2014036250.tif 000002
【特許請求の範囲】
【請求項１】
紙媒体に関する所定の情報である紙媒体情報に対応した所定の位置に設けられたマークを備えたことを特徴とする紙媒体。
【請求項２】
前記マークはチェックボックスであることを特徴とする請求項１に記載の紙媒体。
【請求項３】
個々の前記所定の位置には、複数の前記マークが設けられていることを特徴とする請求項１又は２に記載の紙媒体。
【請求項４】
前記紙媒体情報の内容を示すキャラクタがさらに記載されていることを特徴とする請求項１から３のいずれかに記載の紙媒体。
【請求項５】
少なくとも前記マークが配置された部位であるマーク配置部位であって、他の部位とは異なる加工が施されたマーク配置部位を備えたことを特徴とする請求項１から４のいずれかに記載の紙媒体。
【請求項６】
請求項１から５のいずれかに記載の紙媒体を載置可能な載置部と、
前記載置部に設けられ、指定手段によって指定された前記載置部上の位置を検出する検出部と、
前記マークが配置される前記所定の位置に対応する前記載置部上の位置であるマーク対応位置と、前記紙媒体情報とが対応付けられた情報である対応情報とを記憶する記憶手段と、
前記記憶手段に記憶された前記対応情報を参照し、前記検出部によって検出された前記載置部上の位置が前記マーク対応位置である場合に、前記マーク対応位置に対応付けられた前記紙媒体情報を特定する特定手段と
を備えたことを特徴とする読取装置。
【発明の詳細な説明】
【技術分野】
【０００１】
本発明は、紙媒体、及び該紙媒体に書き込まれた内容を読み取ることが可能な読取装置に関する。
【背景技術】
【０００２】
従来、ユーザが書き込みを行った紙上の位置を読み取って記憶することで、ユーザが紙に書き込んだ内容を記憶する装置が知られている。例えば、特許文献１に記載の筆記入力装置は、手書き入力部とコードリーダとを備えている。ユーザは手書き入力部のステージ上に紙媒体を載置する。紙媒体には、バーコードが記載されている。該バーコードは、例えば、文書名、ページ番号、パソコン名、パソコンのＩＰアドレス等の紙媒体に関する情報を示すものである。ステージ上に載置された紙媒体のバーコードは、コードリーダによって読み取られる。ユーザが電磁ペンを使用して紙媒体上で筆記すると、紙媒体に書き込まれた筆記位置の座標が手書き入力部によって検出される。検出された筆記位置が示す加筆データは、バーコードが示すページ番号の文書データに加筆される。なお、バーコードの代わりに、２次元コードを使用することもできる。バーコードは、縞模様状の線の太さのわずかな違いによって情報を表すものである。また、２次元コードは、小さなドットを縦横に配列して情報を表わすものである。すなわち、バーコードや２次元コードは、模様の違いによって情報を表すものである。
【先行技術文献】
【特許文献】
【０００３】
【特許文献１】特開２００１−１４７７７１号公報
【発明の概要】
【発明が解決しようとする課題】
【０００４】
しかしながら、バーコードや２次元コードは、あくまで装置が情報を検出するものであるため、その模様の違い（線の太さやドットの位置の違い）は人間には容易に判別することができない。よって、人間が目視しても紙媒体に関する情報を認識することが困難であった。
【０００５】
本発明の目的は、紙媒体を目視することで、紙媒体に関する情報を認識できるようにする紙媒体及び読取装置を提供することである。
【課題を解決するための手段】
【０００６】
本発明の第１の態様に係る紙媒体は、紙媒体に関する所定の情報である紙媒体情報に対応した所定の位置に設けられたマークを備えている。この場合、紙媒体情報が、所定の位置に設けられたマークによって表わされている。このため、ユーザは、マークの位置を目視するだけで、紙媒体情報を認識することができる。
【０００７】
前記紙媒体において、前記マークはチェックボックスであってもよい。チェックボックスは、通常、ユーザにチェックマークの記入を促すものである。このため、例えば、ドット（・）等の他の形状が紙媒体情報に対応した所定の位置に設けられている場合に比べて、チェックボックスは、ユーザの注意を引き易い。よって、ユーザは、素早くチェックボックスの位置を確認することができる。故に、ユーザは、チェックボックスの位置から紙媒体情報を認識することを効率的に行うことができる。
【０００８】
前記紙媒体において、個々の前記所定の位置には、複数の前記マークが設けられていてもよい。この場合、紙媒体情報に対応する位置に１つのマークが設けられている場合に比べて、マークがより目立つようになる。よって、ユーザがマークの位置から紙媒体情報を認識する場合に、より確実にマークの位置を確認することができる。よって、ユーザは効率的に紙媒体情報を認識することができる。
【０００９】
前記紙媒体には、前記紙媒体情報の内容を示すキャラクタがさらに記載されてもよい。この場合、ユーザは、マークの位置とキャラクタとの両方を確認することで、より確実に、紙媒体情報を認識することができる。
【００１０】
前記紙媒体は、少なくとも前記マークが配置された部位であるマーク配置部位であって、他の部位とは異なる加工が施されたマーク配置部位を備えてもよい。この場合、マーク配置部位に異なる加工がしてあることによって、ユーザは、マークが存在することを容易に判断できる。すなわち、紙媒体は、マークが存在することをユーザに報知することができる。このため、マーク配置部位に他の部位とは異なる加工がされていない場合に比べて、ユーザは、マークを目視することによる紙媒体情報の確認をより確実に行うことができる。
【００１１】
本発明の第２の対応に係る読取装置は、前記紙媒体を載置可能な載置部と、前記載置部に設けられ、指定手段によって指定された前記載置部上の位置を検出する検出部と、前記マークが配置される前記所定の位置に対応する前記載置部上の位置であるマーク対応位置と、前記紙媒体情報とが対応付けられた情報である対応情報とを記憶する記憶手段と、前記記憶手段に記憶された前記対応情報を参照し、前記検出部によって検出された前記載置部上の位置が前記マーク対応位置である場合に、前記マーク対応位置に対応付けられた前記紙媒体情報を特定する特定手段とを備えている。この場合、ユーザが紙媒体上のマークの位置を電子ペンで指定することで、読取装置は、紙媒体情報を特定することができる。このため、例えば、読取装置は、特定した紙媒体情報と、ユーザが紙媒体に書き込んだ書き込み内容対応したデータとを対応付けて記憶することができる。また、例えば、特定した紙媒体情報に対応した紙媒体の画像をディスプレイ等に表示することができる。
【図面の簡単な説明】
【００１２】
【図１】手書入力システム１の構成を示す図である。
【図２】読取装置２の電気的構成を示すブロック図である。
【図３】紙媒体７０１の平面図である。
【図４】対応情報データテーブル９５のデータ構成図である。
【図５】メイン処理のフローチャートである。
【図６】チェックマーク等が記入された紙媒体７０１の平面図である。
【図７】ディスプレイ４に表示された紙媒体７０１を示す図である。
【図８】座標データテーブル９６のデータ構成図である。
【図９】キャラクタ「ＡＢＣ」が書き込まれた状態の、ディスプレイ４に表示された紙媒体７０１を示す図である。
【図１０】紙媒体７０１の変形例である紙媒体７０２の平面図である。
【図１１】紙媒体７０１の他の変形例である紙媒体７０３の平面図である。
【図１２】紙媒体７０１のさらに他の変形例である紙媒体７０４の平面図である。
【発明を実施するための形態】
【００１３】
以下、本発明を具現化した実施形態について、図面を参照して説明する。まず、図１を参照し、第一実施形態に係る手書入力システム１の概要について説明する。以下の説明では、図１の左側、右側、下側、上側、表側、裏側を、それぞれ、読取装置２の左側、右側、前側、後側、上側、下側と定義して説明する。また、以下の説明において、紙媒体７０１（図３参照）等、各種の紙媒体について述べているが、これらの紙媒体を総称する場合、又はいずれかを特定しない場合、紙媒体７０という。また、紙媒体７０中のチェックボックスを総称する場合、又はいずれかを特定しない場合、チェックボックス４０という。
【００１４】
図１に示すように、手書入力システム１は、読取装置２、電子ペン３、及びディスプレイ４を備えている。手書入力システム１は、いわゆる電磁誘導式の電子ペン３及び読取装置２によって、ユーザによって紙媒体７０（図３参照）に書き込まれた内容（以下、「書き込み内容」という。）の記憶や、表示を行うシステムである。なお、図１では、説明のため、電子ペン３の内部構成の概略を示している。
【００１５】
読取装置２は、平面視で前後方向に長く、上下方向において薄型の直方体状の形状をしている。読取装置２の右後部（図１の右上）には、小型のディスプレイ４が設けられている。ディスプレイ４には、種々の情報が表示される。ディスプレイ４の左側には、入力部２２が設けられている。ユーザは、入力部２２を使用して、読取装置２に種々の指示を入力することができる。ディスプレイ４と入力部２２との前側には、読取装置２の前端部に亘って、載置部２４が設けられている。載置部２４には、紙媒体７０が載置される。載置部２４には、電子ペン３によって指定される載置部２４上の位置を検出する座標検出部２５が設けられている。載置部２４と座標検出部２５とは、読取装置２の上面における同じ範囲に設けられている。また、載置部２４と座標検出部２５とは、平面視で紙媒体７０（図３参照）と略同じ形状である。
【００１６】
電子ペン３について説明する。電子ペン３において、ペン先３１が設けられている方向を先端方向という。また、先端方向の反対方向を後端方向という。電子ペン３は、芯３７、検出スイッチ３３、ボタン型の電池３４、コイル３５、及び基板３６を備えている。芯３７は、金属製の部材である。また、芯３７は、ペン先３１とインク収納部３２とで構成されている。芯３７は、電子ペン３の先端部の内部に設けられ、そのペン先３１が外部に突出している。インク収納部３２には、インクが収納されている。インク収納部３２に収納されたインクはペン先３１に供給される。このため、ユーザは、電子ペン３を使用して紙媒体７０に種々のキャラクタ（文字、数値、及び図形等）を記載することができる。芯３７は、図示しない弾性部材により常に先端方向に付勢されている。
【００１７】
芯３７の後端方向側には、基板３６が設けられている。基板３６の先端部には、検出スイッチ３３が実装されている。基板３６の後端方向には、電池３４が設けられている。電池３４は、基板３６に接続されている。電池３４のマイナス側の電極は、基板３６上の配線を介して、コイル３５に電気的に接続されている。また、電池３４のプラス側の電極は、基板３６上の配線を介して、検出スイッチ３３に電気的に接続されている。検出スイッチ３３は、基板３６上の配線を介して、コイル３５に電気的に接続されている。
【００１８】
コイル３５は、電子ペン３の内部の先端部において芯３７の周囲に巻回されている。芯３７は、ユーザが紙媒体７０にキャラクタ等を記載する場合の押圧力によって、弾性部材の付勢力に抗して電子ペン３の内部にやや退入する。この退入によって、芯３７の後端部が検出スイッチ３３を押下し、検出スイッチ３３がオン状態になる。これによって、電池３４とコイル３５とが導通し、電池３４からコイル３５に向かって電流が流れる。コイル３５に電流が流れると磁界が発生する。読取装置２の座標検出部２５は、発生した磁界を検出することで、ユーザによって書き込みが行われた位置（座標）を検出する。なお、本実施形態では、座標検出部２５の左前（図１の左下）の座標（Ｘ，Ｙ）が（０，０）であるとする。なお、座標「Ｘ」が座標検出部２５（載置部２４）における左右方向の位置を表わしており、右方向がプラス方向であるとする。座標「Ｙ」が前後方向の位置を表しており、後方向がプラス方向であるとする。
【００１９】
読取装置２は、ディスプレイ４に接続されている。ディスプレイ４には、ユーザが読取装置２の載置部２４に載置した紙媒体７０に対応した画像と、書き込み内容とが表示される（図９参照）。
【００２０】
図２を参照して、読取装置２の電気的構成について説明する。図２に示すように、読取装置２は、ＣＰＵ２０１、ＲＯＭ２０２、ＲＡＭ２０３、及びフラッシュメモリ２０４を備えている。ＲＯＭ２０２、ＲＡＭ２０３、及びフラッシュメモリ２０４は、ＣＰＵ２０１に電気的に接続されている。
【００２１】
ＣＰＵ２０１は、読取装置２の制御を行う。ＲＯＭ２０２は、プログラム記憶領域２０２１、データテーブル記憶領域２０２２、及び画像データ記憶領域２０２３を少なくとも備えている。プログラム記憶領域２０２１には、ＣＰＵ２０１が読取装置２を制御するために実行する各種プログラムが記憶されている。データテーブル記憶領域２０２２には、後述する対応情報データテーブル９５（図４参照）が記憶されている。画像データ記憶領域２０２３には、後述する紙媒体情報に対応した画像のデータが記憶されている。
【００２２】
フラッシュメモリ２０４は、座標記憶領域２０４１を少なくとも備えている。座標記憶領域２０４１には、後述する座標データテーブル９６（図８参照）が記憶される。ＲＡＭ２０３には、種々のデータが一時的に記憶される。
【００２３】
読取装置２は、入力部２２及び駆動回路２０６，２０９，２１０を備えている。入力部２２及び駆動回路２０６，２０９，２１０は、ＣＰＵ２０１と電気的に接続されている。駆動回路２０６はディスプレイ２１を駆動するための電子回路である。駆動回路２０９は、座標検出部２５を駆動するための電子回路である。駆動回路２１０はディスプレイ４に画像を表示させるための電子回路である。
【００２４】
図３を参照して、紙媒体７０の一例である紙媒体７０１について説明する。以下の説明では、図３の下側、上側、左側、右側をそれぞれ、紙媒体７０の前側、後側、左側、右側と定義して説明する。紙媒体７０１は、複数枚綴りの紙媒体７０のうちのページ番号「１０５ページ」の紙媒体である。図３では、１０５ページ以外のページの図示は省略している。
【００２５】
紙媒体７０１は、平面視で前後方向に長い長方形状である。紙媒体７０１の左端部には、マーク配置部位４９１が前後方向に亘って設けられている。マーク配置部位４９１は、チェックボックス４０（より詳細にはチェックボックス４１１，４１２，４２０〜４３９）が配置される部位である。マーク配置部位４９１は、グレイに着色されている。すなわち、マーク配置部位４９１は、白色の他の部位（マーク配置部位４９１より右側の部位）とは異なる加工（グレイに着色する加工）が施されている。
【００２６】
チェックボックス４１１，４１２，４２０〜４３９は、紙媒体７０に関する所定の情報である紙媒体情報に対応して所定の位置に設けられている。チェックボックス４１１，４１２，４２０〜４３９が表わす紙媒体情報は、ページ番号である。
【００２７】
チェックボックス４１１，４１２，４２０〜４３９について詳細に説明する。紙媒体７０１の左部には、上から順に、２個のチェックボックス４１１，４１２、１０個のチェックボックス４２０〜４２９、及び１０個のチェックボックス４３０〜４３９が前後方向に並んで設けられている。チェックボックス４１１，４１２の位置は、ページ番号の百の位に対応している。チェックボックス４１１の位置は百の位の「１」を表しており、チェックボックス４１２の位置は百の位の「２」を表している。
【００２８】
チェックボックス４２０〜４２９は、ページ番号の十の位に対応しており、それぞれ、十の位の「０」〜「９」を表している。チェックボックス４３０〜４３９の位置は、ページ番号の一の位に対応しており、それぞれ一の位の「０」〜「９」を表している。
【００２９】
チェックボックス４１１，４１２，４２０〜４３９のうち、チェックボックス４１１，４２０，４３５は白抜きにされている。他のチェックボックス４１２，４２１〜４３４，４３６〜４３９は、グレイで塗り潰されている。白抜きにされたチェックボックス４１１，４２０，４３５によって百の位が「１」、十の位が「０」、一の位が「５」であることが表わされている。すなわち、紙媒体７０１の紙媒体情報「１０５ページ」が、白抜きにされたチェックボックス４１１，４２０，４３５の位置によって表わされている。ユーザは、事前にチェックボックス４１１，４１２，４２０〜４３９の位置と、それぞれが表わすページ番号（紙媒体情報）との関係を憶えておく。ユーザは、白抜きにされたチェックボックス４１１，４２０，４３５の位置を確認して、紙媒体７０１のページ番号が「１０５ページ」であることを認識することができる。また、詳細は後述するが、読取装置２の載置部２４に紙媒体７０１を載置した状態で、ユーザが電子ペン３を用いてチェックボックス４１１，４２０，４３５をチェックすると、読取装置２によって、載置された紙媒体７０１のページ番号が「１０５ページ」であることが特定される（図５のＳ１４参照）。
【００３０】
紙媒体７０１の左後部におけるマーク配置部位４９１の右側には、キャラクタ記載部５０が設けられている。紙媒体７０１のページ番号は「１０５ページ」なので、キャラクタ記載部５０には、「Ｐａｇｅ  １０５」と記載されている。すなわち、キャラクタ記載部５０には、紙媒体７０１の紙媒体情報の内容を示すキャラクタが記載されている。
【００３１】
図４を参照して、対応情報データテーブル９５について説明する。対応情報データテーブル９５は、データテーブル記憶領域２０２２（図２参照）に記憶されている。図４に示すように、対応情報データテーブル９５では、マーク対応位置と、紙媒体情報（ページ番号）とが対応付けられている。マーク対応位置は、チェックボックス４１１，４１２，４２０〜４３９が配置された紙媒体７０上の位置に対応する載置部２４上の位置（座標）に設定されている。例えば、載置部２４上の座標（Ｘ１，Ｙ１）は、百の位「１」に対応付けられている。なお、図４では、説明のため、マーク対応位置が示す座標のそれぞれに対応するチェックボックスの符号４１１，４１２，４２０〜４３９を図示している。また、図４に示すマーク対応位置には一つの座標（例えば、座標（Ｘ１，Ｙ１））しか記載されていないが、実際には、各チェックボックス４１１，４１２，４２０〜４３９の四角形の範囲に対応する座標が記憶されている。
【００３２】
図５を参照して、メイン処理について説明する。読取装置２の電源がオンされると、ＣＰＵ２０１は、ＲＯＭ２０２のプログラム記憶領域２０２１からメイン処理のプログラムを読み出す。ＣＰＵ２０１は読み出したプログラムの指示に従ってメイン処理を実行する。以下の説明では、フローチャートのステップを「Ｓ」と略記する。
【００３３】
ユーザは、読取装置２の電源をＯＮの操作を行う前又は後に、載置部２４に載置する紙媒体７０を準備する。例えば、ユーザは、複数枚綴りの紙媒体７０を載置部２４に載置する。そして、紙媒体７０のページ番号「１０５ページ」、すなわち、紙媒体７０１（図３参照）を開く。このとき、ユーザは、白抜きのチェックボックス４１１，４２０，４３５の位置を目視で確認する。チェックボックス４１１，４２０，４３５は、紙媒体７０１の紙媒体情報「１０５ページ」に対応して設けられている。このため、ユーザは、チェックボックス４１１，４２０，４３５の位置を目視するだけで、開いたページが１０５ページであることを認識できる。
【００３４】
また、キャラクタ記載部５０には、紙媒体情報の内容を示すキャラクタ「Ｐａｇｅ  １０５」が記載されている。このため、ユーザは、チェックボックス４１１，４２０，４３５の位置とキャラクタ記載部５０のキャラクタ「１０５ページ」との両方を確認することで、より確実に、紙媒体７０１の紙媒体情報「１０５ページ」を認識することができる。
【００３５】
ユーザが、読取装置２の電源をオンするとメイン処理が実行される。メイン処理では、紙媒体情報が確定したか否かが判断される（Ｓ１１）。例えば、ユーザが、紙媒体情報の入力が完了したことを通知する操作を入力部２２を介して行った場合、紙媒体情報が確定したと判断される（Ｓ１１：ＹＥＳ）。紙媒体情報が確定していない場合（Ｓ１１：ＮＯ）、電子ペン３による載置部２４上の位置（座標）の指定が、座標検出部２５によって検出されたか否かが判断される（Ｓ１２）。検出されていない場合（Ｓ１２：ＮＯ）、処理はＳ１１に戻る。検出された場合（Ｓ１２：ＹＥＳ）、対応情報データテーブル９５が参照され、検出された位置（座標）が、マーク対応位置であるか否かが判断される（Ｓ１３）。検出された位置が、マーク対応位置でない場合（Ｓ１３：ＮＯ）、処理はＳ１１に戻る。検出された位置が、マーク対応位置である場合（Ｓ１３：ＹＥＳ）、対応情報データテーブル９５においてマーク対応位置に対応付けられた紙媒体情報が特定される（Ｓ１４）。次いで、Ｓ１４で特定された紙媒体情報がＲＡＭ２０３に記憶される（Ｓ１５）。次いで、処理はＳ１１に戻る。
【００３６】
例えば、ユーザは、ページ番号「１０５ページ」の紙媒体７０１を開いた状態で、電子ペン３を使用して、チェックボックス４１１，４２０，４３５にチェックマークを記入する（図６の実線のチェックマーク）。ユーザがチェックボックス４１１にチェックマークを記入すると、電子ペン３による載置部２４上の位置（座標）の指定が、座標検出部２５によって検出される（Ｓ１２：ＹＥＳ）。チェックボックス４１１の位置は、載置部２４上の座標（Ｘ１，Ｙ１）に対応している（図４参照）。そして、座標（Ｘ１，Ｙ１）は、マーク対応位置である（図４参照）。よって、検出された位置（Ｘ１，Ｙ１）がマーク対応位置であると判断され（Ｓ１３：ＹＥＳ）、対応情報データテーブル９５においてマーク対応位置（Ｘ１，Ｙ１）に対応付けられた紙媒体情報「百の位「１」」が特定される（Ｓ１４）。次いで、特定された紙媒体情報「百の位「１」」がＲＡＭ２３に記憶される（Ｓ１５）。
【００３７】
チェックボックス４２０，４３５にチェックマークが記入された場合も同様に、チェックボックス４２０，４３５に対応するマーク対応位置（Ｘ１、Ｙ３）、（Ｘ１、Ｙ１８）に対応付けられた紙媒体情報「十の位「０」」、「一の位「５」」が特定され（Ｓ１４）、記憶される（Ｓ１５）。これによって、紙媒体情報「１０５ページ」がＲＡＭ２３に記憶される。なお、図６では、読取装置２、載置部２４、及び座標検出部２５等の図示は省略しており、紙媒体７０のみを図示している。
【００３８】
紙媒体情報が確定されると（Ｓ１１：ＹＥＳ）、過去に書き込み内容を記憶した紙媒体７０であるか否かが判断される（Ｓ１６）。Ｓ１６では、Ｓ１４で特定され、Ｓ１５で記憶された紙媒体情報に対応する座標データテーブル９６（図８参照、後述）が座標記憶領域２０４１に記憶されているか否かが判断されることで、過去に書き込み内容を記憶した紙媒体であるか否かが判断される。なお、座標データテーブル９６は、後述するＳ２１で座標記憶領域２０４１に記憶される。
【００３９】
過去に書き込み内容を記憶した紙媒体７０でない場合（Ｓ１６：ＮＯ）、Ｓ１５で記憶された紙媒体情報に対応する画像が、画像データ記憶領域２０２３から読み出され、ディスプレイ４に表示される（Ｓ１７）。例えば、図７に示すように、ディスプレイ４に、紙媒体情報「１０５ページ」に対応した新規画像が表示される。次いで、Ｓ１２と同様に、電子ペン３による載置部２４上の位置（座標）の指定が、座標検出部２５によって検出されたか否かが判断される（Ｓ１９）。検出されていない場合、（Ｓ１９：ＮＯ）、紙媒体７０１が他の紙媒体７０に変更されるか否かが判断される（Ｓ２０）。Ｓ２０では、例えば、ユーザの入力部２２の操作によって、紙媒体７０を変更する指示が入力された場合に、紙媒体７０が変更されると判断される。紙媒体７０が変更されない場合（Ｓ２０：ＮＯ）、処理はＳ１９に戻る。
【００４０】
電子ペン３による載置部２４上の位置（座標）の指定が、座標検出部２５によって検出された場合（Ｓ１９：ＹＥＳ）、紙媒体情報に対応付けて、検出された位置（座標）が記憶される（Ｓ２１）。すなわち、書き込み内容が記憶される。次いで、Ｓ２１で記憶された位置（座標）と紙媒体情報とに基づいて、ディスプレイ４に表示された画像が更新される（Ｓ２２）。すなわち、書き込み内容が表示される。次いで、処理はＳ１９に戻る。
【００４１】
例えば、図６に示すように、ユーザによって紙媒体７０１に文字「ＡＢＣ」が書き込まれる場合、ユーザによって文字「ＡＢＣ」が書き込まれる間、ＣＰＵ２０１は、Ｓ１９、Ｓ２１、Ｓ２２を繰り返す。図６に示す位置に文字「ＡＢＣ」が書き込まれた場合の、文字「ＡＢＣ」に対応する載置部２４上の座標は、（Ｘ５０，Ｙ５０）〜（Ｘ５１，Ｙ５１）〜（Ｘ５２，Ｙ５２）であるとする。このとき、Ｓ２１では、図８に示す座標データテーブル９６が作成されて記憶される。
【００４２】
座標データテーブル９６では、紙媒体情報とＳ１９で検出された座標とが対応付けられて記憶されている。より詳細には、紙媒体情報「１０５ページ」、及び座標（Ｘ５０，Ｙ５０）〜（Ｘ５１，Ｙ５１）〜（Ｘ５２，Ｙ５２）が記憶されている。座標は、電子ペン３によって指定され、座標検出部２５によって検出された座標である。
【００４３】
また、図８の座標データテーブル９６に基づいて、図９に示すように、ディスプレイ４に表示されている画像に、ユーザによって書き込まれた文字「ＡＢＣ」が追加されて表示される（Ｓ２２）。
【００４４】
ユーザの入力部２２の操作によって、紙媒体７０を変更する指示が入力された場合、紙媒体７０が変更されると判断される（Ｓ２０：ＹＥＳ）。例えば、ユーザは、１０５ページの紙媒体７０１の他の１０６ページを開く。図示しないが、１０６ページの紙媒体では、１０６ページに対応するチェックボックス４１１，４２０，４３６が白抜きにされている。ユーザは、ページ１０５の紙媒体７０１の場合と同様に、１０６ページの白抜きのチェックボックス４１１，４２０，４３６にチェックマークを記入する。この場合、Ｓ１２〜Ｓ１５によって紙媒体情報が「１０６ページ」であることが記憶され、１０６ページの画像が表示される（Ｓ１７）。ユーザが電子ペン３を使用して１０６ページに書き込みを行うと、紙媒体情報「１０６ページ」に対応付けて、書き込みに対応する座標が記憶され（Ｓ２１）、表示される（Ｓ２２）。
【００４５】
ユーザが紙媒体７０を変更する指示を入力し（Ｓ２０：ＹＥＳ）、ユーザが再び１０５ページの紙媒体７０１を開いたとする。そして、ユーザは再度チェックボックス４１１，４２０，４３５にチェックマーク（図６の点線のチェックマーク）を記入する。これによって、紙媒体情報「１０５ページ」が特定され（Ｓ１４）、ＲＡＭ２０３に記憶される（Ｓ１５）。そして、紙媒体情報が確定されると（Ｓ１１：ＹＥＳ）、すでに、紙媒体情報「１０５ページ」に対応付けて、座標が記憶されているので（図８参照）、過去に書き込み内容を記憶した紙媒体７０であると判断される（Ｓ１６：ＹＥＳ）。そして、座標記憶領域２０４１に記憶されている座標データテーブル９６に基づいて、図９に示す画像が再び表示される（Ｓ１８）。このため、ユーザは、以前書き込んだ文字「ＡＢＣ」に続けて新たに書き込みを行うことができる。次いで、Ｓ１９が実行される。ユーザが新たに書き込みを行うと（Ｓ１９：ＹＥＳ）、座標データテーブル９６（図８参照）に座標が追加され（Ｓ２１）、ディスプレイ４に表示される（Ｓ２２）。このように、読取装置２は、座標記憶領域２０４１に記憶された紙媒体情報に対応付けられた書き込み内容（座標）に追加して新たな書き込み内容（座標）を記憶することができる。
【００４６】
以上のように、メイン処理が実行される。なお、読取装置２の電源がＯＦＦされた場合、メイン処理は終了される。本実施形態では、ユーザが紙媒体７０１上のチェックボックス４０を電子ペン３で指定（チェックマークを記入）することで、読取装置２は、紙媒体情報を特定することができる（Ｓ１４）。このため、特定した紙媒体情報と、ユーザが紙媒体に書き込んだ書き込み内容に対応したデータ（座標）とを対応付けて記憶することができる（Ｓ２１）。また、特定した紙媒体情報に対応した紙媒体の画像をディスプレイ４に表示することができる（Ｓ１７及びＳ１８）。また、ユーザが過去に書き込みを行った内容に追加して、新たに書き込みを行った内容を記憶し（Ｓ２１）、表示することができる（Ｓ２２）。このように、読取装置２は、チェックボックス４０にチェックマークが記入されることで、紙媒体情報を読み取って、紙媒体情報毎に座標（書き込み内容）を記憶して管理することができる。故に、ユーザの利便性が向上する。
【００４７】
また、ユーザが電子ペン３でチェックボックス４０にチェックマークを記入することで、読取装置２は紙媒体情報を特定できる。このため、従来のコードリーダ等の部材を設ける必要がない。このため、読取装置２をコストダウンできる。また、コードリーダを設けるスペースを省略できるので、読取装置２を小型化、薄型化することができる。
【００４８】
また、本実施形態では、紙媒体情報に対応した所定の位置に設けられているのは、チェックボックス４０である。チェックボックス４０は、通常、ユーザにチェックマークの記入を促すものである。このため、例えば、チェックボックス４０の代わりにドット（・）等が紙媒体情報に対応した所定の位置に設けられている場合に比べて、チェックボックス４０は、ユーザの注意を引き易い。よって、ユーザは、素早くチェックボックスの位置を確認することができる。故に、ユーザは、チェックボックス４０の位置から紙媒体情報を認識することを効率的に行うことができる。
【００４９】
また、形状がチェックボックスであるため、ユーザは、チェックボックス４０にチェックマークを記入すれば、読取装置２に紙媒体情報を認識させることができることを容易に判断することができる。故に、ユーザがチェックマークを記入し忘れることによって、読取装置２が紙媒体情報を認識しないことを防止することができる。
【００５０】
また、マーク配置部位４９１がグレイに着色されている。このため、マーク配置部位４９１が着色されておらず、他の部位と同様に白色である場合に比べて、マーク配置部位４９１が視覚的により目立つようになる。このため、ユーザはチェックボックス４０の存在に容易に気付くことができる。言い換えると、マーク配置部位４９１は、チェックボックス４０が存在することをユーザに報知することができる。よって、マーク配置部位４９１に他の部位とは異なる加工がされていない場合に比べて、ユーザは、チェックボックス４０を目視することによる紙媒体情報の確認をより確実に行うことができる。また、ユーザがチェックボックス４０にチェックマークを記入し忘れることを防止することができる。
【００５１】
上記実施形態において、チェックボックス４０が本発明の「マーク」に相当する。座標検出部２５が本発明の「検出部」に相当する。対応情報データテーブル９５が本発明の「対応情報」に相当する。フラッシュメモリ２０４が本発明の「記憶手段」に相当する。Ｓ１４の処理を行うＣＰＵ２０１が本発明の「特定手段」に相当する。
【００５２】
なお、本発明は上記の実施形態に限定されるものではなく、種々の変更が可能である。例えば、紙媒体７０１には、白抜きのチェックボックス４１１，４２０，４３５の他に、白抜きでないチェックボックス４１２，４２１〜４３４，４３６〜４３９（グレイに着色されたチェックボックス４０）が記載されている。しかし、白抜きでないチェックボックス４１２，４２１〜４３４，４３６〜４３９は記載されなくてもよい。また、キャラクタ記載部５０に紙媒体情報の内容を示すキャラクタが記載されていたが、記載されなくてもよい。
【００５３】
また、紙媒体情報に対応する個々の所定の位置には、それぞれ１つのチェックボックス４０が設けられていた。例えば、百の位「１」に対応するチェックボックス４１１は、１つであった。しかし、例えば、紙媒体情報に対応する個々の所定の位置に、複数のチェックボックス４０が設けられていてもよい。例えば、図１０に示す紙媒体７０２では、各チェックボックス４１１，４１２，４２０〜４３９のそれぞれが、３つのチェックボックス４０で形成されている。例えば、チェックボックス４１１は、左右に並んだ３つのチェックボックス４１１Ａ，４１１Ｂ，４１１Ｃで形成されている。同様に、チェックボックス４２０は、チェックボックス４２０Ａ，４２０Ｂ，４２０Ｃで形成され、チェックボックス４３５は、チェックボックス４３５Ａ，４３５Ｂ，４３５Ｃで形成されている。
【００５４】
図１０に示す例の場合、ユーザは、紙媒体７０２を載置部２４に載置した後、チェックボックス４１１，４２０，４３５のうち、一番左のチェックボックス４１１Ａ，４２０Ａ，４３５Ａにチェックマークを記入する。これによって、紙媒体情報「１０５ページ」が特定される（Ｓ１４）。そして、ユーザが電子ペン３を用いて紙媒体７０２に任意のキャラクタを記入すると、書き込み内容が記憶され（Ｓ２１）、ディスプレイ４に表示される（Ｓ２２）。
【００５５】
ユーザが他のページを開いて書き込みを行った後（Ｓ２０：ＹＥＳ）、再度、１０５ページを開いたとする。このとき、図１０に示すように、紙媒体７０２は、チェックボックス４１１，４２０，４３５のうち、一番左のチェックボックス４１１Ａ，４２０Ａ，４３５Ａにチェックマークが記入されている状態である。また、他のチェックボックス４１１Ｂ，４１１Ｃ，４２０Ｂ，４２０Ｃ，４３５Ｂ，４３５Ｃは、チェックマークが記入されていない、空欄の状態である。すなわち、チェックマークが記入されていないチェックボックス４１１Ｂ，４１１Ｃ，４２０Ｂ，４２０Ｃ，４３５Ｂ，４３５Ｃが残っている。このため、個々のチェックボックス４１１，４２０，４３５が１つしか設けられておらず、チェックマークが記入されていないチェックボックス４０が残っていない場合に比べて、ユーザは、チェックボックス４０にチェックマークを記入することを忘れ難い。ユーザが、空欄となっている中央のチェックボックス４１１Ｂ，４２０Ｂ，４３５Ｂにチェックマークを記入すると、紙媒体情報「１０５ページ」が特定される（Ｓ１４）。
【００５６】
また、紙媒体情報に対応する個々の所定の位置にチェックボックス４０が複数設けられていることによって、１つのチェックボックス４０が設けられている場合に比べて、チェックボックス４０がより目立つようになる。よって、ユーザがチェックボックス４０の位置から紙媒体情報を認識する場合に、より確実にチェックボックス４０の位置を確認することができる。よって、ユーザは効率的に紙媒体情報を認識することができる。
【００５７】
また、印字媒体情報に対応して設けられているのは、チェックボックス４０であるが、例えば、「ドット（・）」や「丸印（○）」等の他のマークでもよい。この場合でも、ユーザはドットや丸印等の位置を目視するだけで、紙媒体情報を認識することができる。また、ユーザがドットや丸印等の上側を電子ペン３でチェックすることで、読取装置２は、紙媒体情報を特定し（Ｓ１４）、記憶することができる（Ｓ１５）。
【００５８】
また、マーク配置部位４９１がグレイに着色されることで、他の部位と異なるようにされているが、これに限定されない。例えば、マーク配置部位４９１に粘着材が塗布されていてもよい。この場合、紙媒体７０のページを開くたびに、粘着剤による抵抗がユーザの指に伝わるので、その抵抗によって、ユーザはチェックボックス４０の存在に容易に気付くことができる。また、マーク配置部位４９１が、他の部位とは異なる材質（例えば、ざらざらした質感の材質など）で形成されていてもよい。この場合、材質の違いによって、ユーザはチェックボックス４０の存在に容易に気付くことができる。このように、マーク配置部位４９１を他の部位と異なる加工にすることで、ユーザは、チェックボックス４０の存在に容易に気付くことができる。故に、チェックボックス４０を目視することによる紙媒体情報の確認を効率的に行うことができる。また、ユーザが電子ペン３でチェックマークをチェックボックス４０に記入するのを忘れることを防止することができる。なお、マーク配置部位４９１を他の部位と異なる加工にしなくてもよい。
【００５９】
また、紙媒体情報がページ番号である場合を例示して説明したが、紙媒体情報はページ番号の他、日付、フォーマット等であってもよい。例えば、図１１に示す紙媒体７０３では、紙媒体情報が日付である。紙媒体７０３のチェックボックス４５１〜４６２，４７１〜４７３，４８０〜４８９は、日付に対応している。より詳細には、チェックボックス４５１〜４６２は「Ｍｏｎｔｈ（月）」の「１」〜「１２」に対応している。チェックボックス４７１〜４７３は、「Ｄａｙ（日）」のうち、十の位の「１」〜「３」に対応している。チェックボックス４８０〜４８９は、「Ｄａｙ（日）」のうち、一の位の「０」〜「９」に対応している。
【００６０】
図１１に示す例では、チェックボックス４５５、４７１、４８０が白抜きにされている。白抜きにされたチェックボックス４５５，４７１，４８０によって、紙媒体７０３の紙媒体情報が「５月１０日」であることが表わされている。ユーザは、事前にチェックボックス４５１〜４６２，４７１〜４７３，４８０〜４８９の位置と、日付（紙媒体情報）の対応関係を憶えておく。ユーザは、白抜きにされたチェックボックス４５５，４７１，４８０の位置を確認して、紙媒体７０３の紙媒体情報が日付「５月１０日」であることを認識することができる。また、上述した紙媒体情報がページ番号である場合と同様に、読取装置２は、チェックボックス４５１〜４６２，４７１〜４７３，４８０〜４８９の座標（マーク対応位置）と、日付とを対応付けてデータテーブル記憶領域２０２２に記憶しておく。この場合、読取装置２の載置部２４に紙媒体７０３を載置した状態で、ユーザが電子ペン３を用いてチェックボックス４５５，４７１，４８０にチェックマークを記入すると、読取装置２によって、載置された紙媒体７０３の日付が「５月１０日」であることが特定される（Ｓ１４）。なお、紙媒体７０３の紙媒体情報は「５月１０日」であるので、キャラクタ記載部５０には、「５月１０日」と記載されている。
【００６１】
図１２に示す紙媒体７０４では、紙媒体情報がフォーマットである。紙媒体７０４の右後部には、マーク配置部位４９２が設けられている。マーク配置部位４９２はグレイに着色されている。マーク配置部位４９２は、マーク配置部位４９１と同様の効果を奏する。マーク配置部位４９２には、チェックボックス４９５，４９６，４９７が設けられている。チェックボックス４９５，４９６，４９７は、フォーマットに対応している。より詳細には、チェックボックス４９５は「Ｓｃｈｅｄｕｌｅフォーマット」に対応している。チェックボックス４９６は「Ｔｏ  ｄｏフォーマット」に対応している。チェックボックス４９７は「Ｍｅｍｏフォーマット」に対応している。
【００６２】
図１２に示す例では、チェックボックス４９６が白抜きにされている。白抜きにされたチェックボックス４９６の位置によって、紙媒体７０４の紙媒体情報が「Ｔｏ  ｄｏフォーマット」であることが表わされている。ユーザは、事前にチェックボックス４９５，４９６，４９７の位置と、フォーマットとの対応関係を憶えておく。ユーザは、白抜きにされたチェックボックス４９６の位置を確認して、紙媒体７０４の紙媒体情報が「Ｔｏ  ｄｏフォーマット」であることを認識することができる。また、読取装置２は、チェックボックス４９５，４９６，４９７の座標（マーク対応位置）と、フォーマットとを対応付けてデータテーブル記憶領域２０２２に記憶しておく。この場合、読取装置２の載置部２４に紙媒体７０４を載置した状態で、ユーザが電子ペン３を用いてチェックボックス４９６にチェックマークを記入すると、読取装置２によって、載置された紙媒体７０４が「Ｔｏ  ｄｏフォーマット」であることが特定される。そして、「Ｔｏ  ｄｏフォーマット」の画像がディスプレイ４に表示される（Ｓ１７及びＳ１８）。なお、各フォーマットの画像は、例えば、画像データ記憶領域２０２３から読み出される。
【００６３】
なお、紙媒体情報を複数組み合わせてもよい。例えば、日付、フォーマット、ページ番号のチェックボックス４０を１つの紙媒体７０に設けてもよい。そして、Ｓ２１では、複数の紙媒体情報の組み合わせに対応付けて座標が記憶されてもよい。
【符号の説明】
【００６４】
１    手書入力システム
２    読取装置
３    電子ペン
２４    載置部
２５    座標検出部
４０    チェックボックス
５０    キャラクタ記載部
７０    紙媒体
９５    対応情報データテーブル
２０１    ＣＰＵ
４９１，４９２    マーク配置部位
２０２２    データテーブル記憶領域
【図１】
2014036250.tif 000003
【図２】
2014036250.tif 000004
【図４】
2014036250.tif 000005
【図５】
2014036250.tif 000006
【図７】
2014036250.tif 000007
【図８】
2014036250.tif 000008
【図９】
2014036250.tif 000009
【図３】
2014036250.tif 000010
【図６】
2014036250.tif 000011
【図１０】
2014036250.tif 000012
【図１１】
2014036250.tif 000013
【図１２】
2014036250.tif 000014